(57)【要約】【課題】基板に設けられる電子部品の保持構造において、電子部品を簡単な構造で基板に確実に固定できるようにする。【解決手段】コネクタ１２の接続端子１８を基板１１に挿入して固定するコネクタ１２の保持構造において、基板１１に交差するように配置されるコネクタ１２の支持板４２を備え、支持板４２にコネクタ１２を固定する固定ビス２１を備え、固定ビス２１の挿入によって押圧されて変位し、コネクタ１２を接続端子１８の挿入方向に付勢する部品保持部３０を備えた。【選択図】図５
2011108807.tif 000002
【特許請求の範囲】
【請求項１】
電子部品の端子を基板に挿入して固定する電子部品の保持構造において、
前記基板に交差するように配置される電子部品の支持板を備え、
前記支持板に前記電子部品を固定する棒状保持部材を備え、
前記棒状保持部材の挿入によって押圧されて変位し、前記電子部品を前記端子の挿入方向に付勢する部品保持部を備えたこと、
を特徴とする電子部品の保持構造。
【請求項２】
前記部品保持部は、前記端子が配置された面と対向する前記電子部品の面部の側に設けられ、前記電子部品の前記面部を付勢すること、
を特徴とする請求項１記載の電子部品の保持構造。
【請求項３】
前記棒状保持部材は、前記支持板において前記電子部品の前記面部側に前記端子の挿入方向と直交して挿入され、
前記部品保持部は、前記棒状保持部材に対して前記電子部品の反対側に位置する上面部と、該上面部から前記電子部品の前記上部側へ延びる被押圧部と、該被押圧部から前記上部に沿って前記支持板の側へ延びる付勢部とを有し、
前記被押圧部が前記棒状保持部材の先端に押圧されて前記被押圧部及び前記付勢部が変位し、変位した前記付勢部が前記電子部品の前記上部を前記端子の挿入方向に付勢すること、
を特徴とする請求項２記載の電子部品の保持構造。
【請求項４】
前記部品保持部が前記支持板に一体に設けられていること、
を特徴とする請求項１から３のいずれかに記載の電子部品の保持構造。
【請求項５】
前記部品保持部を前記支持板とは別体で設け、前記部品保持部を前記電子部品と前記支持板との間に介装したこと、
を特徴とする請求項１から３のいずれかに記載の電子部品の保持構造。
【請求項６】
前記電子部品は、外部の配線が接続されるコネクタであり、前記支持板は、前記コネクタが接続される際に前記配線が通る開口を有し、該開口の上方に設けられる前記棒状保持部材によって前記コネクタが前記開口から露出するように固定されること、
を特徴とする請求項１から５のいずれかに記載の電子部品の保持構造。
【請求項７】
前記部品保持部は、前記部品保持部の弾性変形域で変位すること、
を特徴とする請求項１から６のいずれかに記載の電子部品の保持構造。
【発明の詳細な説明】
【技術分野】
【０００１】
本発明は、基板に設けられる電子部品の保持構造に関する。
【背景技術】
【０００２】
従来、種々の電子部品が実装された基板上に電子部品としてのコネクタを設置し、このコネクタを、上記基板を収容するケースの壁部に形成した開口から露出させた電子機器が知られている（例えば、特許文献１参照）。
【先行技術文献】
【特許文献】
【０００３】
【特許文献１】特開２００７−３３５７６６号公報
【発明の概要】
【発明が解決しようとする課題】
【０００４】
上記従来の電子機器では、上記コネクタは基板上に単に設置されているだけであり、半田等のみによってコネクタを基板に固定した場合、コネクタに外部の配線を接続した際に生じる振動や応力を受けることでコネクタにストレスが加わり、コネクタ端子と基板との間で断線等の接続不良が発生する可能性があった。このため、簡単な構造でコネクタ等の電子部品を基板に確実に固定することが望まれていた。
本発明は、上述した事情に鑑みてなされたものであり、基板に設けられる電子部品の保持構造において、電子部品を簡単な構造で基板に確実に固定できるようにすることを目的とする。
【課題を解決するための手段】
【０００５】
上記目的を達成するために、本発明は、電子部品の端子を基板に挿入して固定する電子部品の保持構造において、前記基板に交差するように配置される電子部品の支持板を備え、前記支持板に前記電子部品を固定する棒状保持部材を備え、前記棒状保持部材の挿入によって押圧されて変位し、前記電子部品を前記端子の挿入方向に付勢する部品保持部を備えたことを特徴とする。
この構成によれば、電子部品の支持板に電子部品を固定する棒状保持部材によって押圧されて部品保持部が変位し、部品保持部が電子部品を端子の挿入方向に付勢する。このため、棒状保持部材を利用して部品保持部を変位させて電子部品を固定でき、電子部品を簡単な構造で基板に確実に固定できる。
【０００６】
また、前記部品保持部は、前記端子が配置された面と対向する前記電子部品の面部の側に設けられ、前記電子部品の前記面を付勢しても良い。
この場合、端子と対向する電子部品の面部を部品保持部で付勢するため、端子を効果的に基板に付勢できる。
【０００７】
さらに、前記棒状保持部材は、前記支持板において前記電子部品の前記面部側に前記端子の挿入方向と直交して挿入され、前記部品保持部は、前記棒状保持部材に対して前記電子部品の反対側に位置する上面部と、該上面部から前記電子部品の前記上部側へ延びる被押圧部と、該被押圧部から前記上部に沿って前記支持板の側へ延びる付勢部とを有し、前記被押圧部が前記棒状保持部材の先端に押圧されて前記被押圧部及び前記付勢部が変位し、変位した前記付勢部が前記電子部品の前記上部を前記端子の挿入方向に付勢しても良い。
この場合、端子の挿入方向と直交して挿入される棒状保持部材の先端で被押圧部を押圧して被押圧部及び付勢部を変位させ、変位した付勢部によって電子部品の面部を付勢して電子部品を基板に固定でき、電子部品を簡単な構造で基板に確実に固定できる。
【０００８】
さらにまた、前記部品保持部が前記支持板に一体に設けられても良い。
この場合、部品保持部が支持板と一体に構成されるため、電子部品を付勢する専用の部品を設ける必要がなく、電子部品を簡単な構造で基板に確実に固定できる。
【０００９】
また、前記部品保持部を前記支持板とは別体で設け、前記部品保持部を前記電子部品と前記支持板との間に介装しても良い。
この場合、電子部品と支持板との間に部品保持部を介装するため、部品保持部を別体で設けた場合において、部品保持部を簡単な構造で取付けできる。また、部品保持部を取り外す際に支持板を基板から取り外す必要がなく、メンテナンス性が良い。さらに、部品保持部を共通部品として用いることで、他の機種にも部品保持部を使用できる。
【００１０】
また、前記電子部品は、外部の配線が接続されるコネクタであり、前記支持板は、前記コネクタが接続される際に前記配線が通る開口を有し、該開口の上方に設けられる前記棒状保持部材によって前記コネクタが前記開口から露出するように固定されても良い。
この場合、コネクタを支持板の開口から露出させるように固定する棒状保持部材を利用してコネクタを基板に付勢でき、コネクタを開口から露出させた状態でコネクタを基板及び支持板に簡単な構造で固定できる。また、コネクタを部品保持部によって確実に固定できるため、コネクタに外部の配線が着脱される際に生じる力がコネクタと基板との間の接続に影響することを防止できる。
【００１１】
さらに、前記部品保持部は、前記部品保持部の弾性変形域で変位しても良い。
この場合、メンテナンスの際等に棒状保持部材を取り外すと、変位していた部品保持部が元に戻り、部品保持部による電子部品の押圧が解除されるため、メンテナンス性が良い。
【発明の効果】
【００１２】
本発明によれば、基板に設けられる電子部品の保持構造において、電子部品を簡単な構造で基板に確実に固定できる。
【図面の簡単な説明】
【００１３】
【図１】第１の実施の形態に係る電子部品の保持構造を備えた電子機器の分解斜視図である。
【図２】コネクタの保持構造を示す斜視図である。
【図３】電子機器を支持板の外側から見た正面図である。
【図４】図３のＩＶ−ＩＶ断面図である。
【図５】図３のＩＶ−ＩＶ断面図である。
【図６】第２の実施の形態におけるコネクタの保持構造を示す側面断面図である。
【図７】第３の実施の形態におけるコネクタの保持構造を示す側面断面図である。
【図８】第４の実施の形態におけるコネクタの保持構造を示す側面断面図である。
【発明を実施するための形態】
【００１４】
以下、図面を参照して本発明の実施形態について説明する。
［第１の実施の形態］
図１は、第１の実施の形態に係る電子部品の保持構造を備えた電子機器の分解斜視図である。
電子機器１は、自動車等の移動体に搭載される電子機器である。
電子機器１は、下面が開口した箱型のケース体８と、ケース体８の下面を覆う底板９とを備えた筐体１０を有し、筐体１０内にＣＰＵ等の種々の電子部品が実装された基板１１を収容して構成されている。基板１１は底板９上に複数のビス７によって固定され、底板９はケース体８の下面を覆った状態で複数のビス７によって固定される。
基板１１には、外部の配線が接続されるコネクタ１２（電子部品）と、コネクタ１２を基板１１に固定するホルダー板金４０が設けられている。
【００１５】
図２は、コネクタ１２の保持構造を示す斜視図である。
図１及び図２に示すように、コネクタ１２は基板１１の縁部に沿うように設けられ、ホルダー板金４０はコネクタ１２の一部を覆って配置されている。ホルダー板金４０は板状の鋼材を板金加工して形成され、立方体状のコネクタ１２の両側面を覆う側壁４１と、コネクタ１２における基板１１の縁部側及びコネクタ１２の上面１２Ａ（面部）の一部を覆う支持板４２とを有している。
【００１６】
図３は、コネクタ１２を支持板４２の外側から見た正面図である。
支持板４２は、図２及び図３に示すように、基板１１の縁部に略垂直に立設され、基板１１に交差するように配置されている。支持板４２には、電子機器１の内側から外側に連通する矩形の開口１５が形成されている。また、ケース体８には、開口１５に対応した位置に開口するコネクタ用開口８Ａが形成されており、外部からの配線はコネクタ用開口８Ａ及び開口１５を介してコネクタ１２に接続される。
コネクタ１２は、立方体状に形成され、その一面からは、外部の配線が接続される接続ピン部１６が露出している。また、コネクタ１２には、接続ピン部１６が露出する面に沿って上面１２Ａから上方に突出した板状のステー部１７が設けられている。コネクタ１２は、接続ピン部１６が開口１５から露出するように、ステー部１７が支持板４２の内壁部４２Ａに突き当てられて配置されている。
【００１７】
図４及び図５は、図３のＩＶ−ＩＶ断面図である。図４はコネクタ１２が固定される前の状態を示し、図５はコネクタ１２が固定された状態を示している。
コネクタ１２の底面１２Ｂには複数の接続端子１８（端子）が突出して設けられ、コネクタ１２は、基板１１に挿入された接続端子１８が半田付けされて基板１１に接続されている。
ステー部１７にはケース体８の内側へ突出したボス部１９が設けられている。支持板４２には、開口１５の上方においてボス部１９と同軸となる位置にビス孔２０が形成され、コネクタ１２は、支持板４２の外側からビス孔２０を通ってボス部１９の雌ねじ部に締め込まれる固定ビス２１（棒状保持部材）によって固定される。固定ビス２１は棒状に形成され、ねじ部２１Ａ及び頭部２１Ｂを有している。固定ビス２１は、基板１１の面に対して略平行な状態で、すなわち、接続端子１８の挿入方向に直交した状態で延びている。
【００１８】
コネクタ１２の上面１２Ａの上方には、部品保持部３０がコネクタ１２の上面１２Ａに当接するように配置されている。
また、支持板４２は、基板１１の上面に当接する下縁４２Ｂの一部が突出した爪部４２Ｃを複数有し、基板１１に形成された孔１１Ａを貫通して基板１１の下面側に突出した爪部４２Ｃの端がねじるように変形されて基板１１に固定されている。
【００１９】
部品保持部３０は、支持板４２の上部を折り曲げて支持板４２と一体に構成され、固定ビス２１に対してコネクタ１２の反対側に位置しケース体８の内側へ延びる上面部３１と、上面部３１の端からコネクタ１２の上面１２Ａ側へ下方に延びる被押圧部３２と、被押圧部３２の端から上面１２Ａに沿って支持板４２のビス孔２０側へ延びる付勢部３３とを有している。
部品保持部３０は、上面部３１、被押圧部３２、付勢部３３、及び、内壁部４２Ａで囲まれた空間Ｋを形成し、固定ビス２１のねじ部２１Ａは空間Ｋ内に位置している。また、ねじ部２１Ａの長さは、支持板４２の内壁部４２Ａと被押圧部３２との間の間隔よりも大きく設定されている。
【００２０】
上面部３１の先端は固定ビス２１の延在方向においてコネクタ１２の奥行きの中間部まで延びている。被押圧部３２は、上面部３１においてコネクタ１２に重なる部分を延出して、コネクタ１２の側へ折り曲げた部分であり、ねじ部２１Ａの先端に対向して設けられている。付勢部３３は、被押圧部３２の先端の一部をさらに延出して折り曲げた部分であり、図４に示すように、固定ビス２１が完全に締め込まれる前の状態では、上面１２Ａと当接、或いは、僅かに間隔をあけて設けられ、上面１２Ａと略平行に延びている。付勢部３３は、側面視において、固定ビス２１とコネクタ１２の上面１２Ａとの間に位置している。また、付勢部３３は、コネクタ１２の上面１２Ａにおける幅方向の両端部にそれぞれ当接するように被押圧部３２の両端の２箇所に設けられており、上面１２Ａを押圧してコネクタ１２を固定する。
【００２１】
詳細には、部品保持部３０は、固定ビス２１がボス部１９に締め込まれることで空間Ｋに侵入したねじ部２１Ａの先端によって被押圧部３２がねじ部２１Ａの侵入方向に押圧されて被押圧部３２が変位し、被押圧部３２と共にコネクタ１２の奥行き方向に変位した付勢部３３の主に先端部分が上面１２Ａを押圧することでコネクタ１２を保持している。
また、図１に示すように、上面部３１と被押圧部３２との間の折り曲げ部には、被押圧部３２の幅方向に延びるスリット３４が形成され、上記曲げ部が肉抜きされており、被押圧部３２は両端のつなぎ部３５によって上面部３１と繋がっている。
さらに、上面部３１には、上面部３１の一部がボス部１９の側に下方に切り起こされて形成された突起部３１Ａが形成されている。突起部３１Ａは、コネクタ１２が組み付けられた状態においてステー部１７よりもコネクタ１２の奥行き方向の奥側に位置し、固定ビス２１の締め込み作業時にコネクタ１２が奥行き方向に移動しようとした際に、ステー部１７に当接してコネクタ１２の位置を規制する。
【００２２】
ここで、コネクタ１２の取付手順について説明する。
まず、図４に示すように、コネクタ１２の接続端子１８を基板１１上の所定の位置に挿入し、コネクタ１２を仮組みすると共に、ホルダー板金４０を設置して支持板４２に基板１１の端を固定する。次いで、固定ビス２１をビス孔２０から挿入し、固定ビス２１をボス部１９に締め込む。この際、図５に示すように、固定ビス２１が締め込まれるに従ってねじ部２１Ａの先端が被押圧部３２を押圧し、頭部２１Ｂが支持板４２に当接するまで固定ビス２１を締め込むと、被押圧部３２は、つなぎ部３５を曲げの基点として上方に回動するようにコネクタ１２の奥行き方向に変位し、被押圧部３２と共に変位した付勢部３３がコネクタ１２の上面１２Ａを押圧する。
【００２３】
詳細には、付勢部３３は、固定ビス２１が締め込まれることにより、その先端部が上面１２Ａの奥行き方向の中間部に当接し、図５に矢印Ｘで示すように、コネクタ１２を接続端子１８の基板１１に対する挿入方向に付勢する。このように、コネクタ１２は、ボス部１９が固定ビス２１に締結されて支持板４２に固定されると共に、付勢部３３によって基板１１に押し付けられた状態で固定される。そして、付勢部３３によってコネクタ１２の底面１２Ｂが基板１１に密着させられた状態で、接続端子１８が基板１１に半田付けされることで、コネクタ１２の基板１１への取付けが完了する。
また、被押圧部３２及び付勢部３３の変位量は、被押圧部３２及び付勢部３３が弾性変形域内で変位するように設定されている。これにより、メンテナンスの際等に固定ビス２１を取り外すと、被押圧部３２及び付勢部３３が元に戻り、付勢部３３によるコネクタ１２の押圧が解除されるため、メンテナンス性が良い。
【００２４】
本第１の実施の形態では、コネクタ１２を支持板４２及び基板１１に固定する固定ビス２１を締め込むと、固定ビス２１の先端に押圧されて部品保持部３０の被押圧部３２及び付勢部３３が変位し、付勢部３３がコネクタ１２を接続端子１８の挿入方向に付勢する。このため、固定ビス２１を利用して部品保持部３０を押圧する専用の部品を設けることなく、被押圧部３２及び付勢部３３を変位させてコネクタ１２を保持でき、コネクタ１２を簡単な構造で基板１１に確実に固定できる。また、固定ビス２１を締め込むだけでボス部１９及び付勢部３３によってコネクタ１２を固定できるため、固定作業が容易である。
また、付勢部３３によってコネクタ１２を基板１１の方向に付勢し、コネクタ１２の底面１２Ｂを基板１１に密着させた状態で半田付けするため、確実に半田付けできる。
【００２５】
また、固定ビス２１の締結力に加え、被押圧部３２によってコネクタ１２の上面１２Ａが押圧されてコネクタ１２が確実に固定されるため、コネクタ１２に外部の配線を着脱する際にかかる力が接続端子１８と基板１１との接続部に影響を及ぼすことを防止できる。
さらに、被押圧部３２が両端のつなぎ部３５のみによって上面部３１と繋がっているため、固定ビス２１によって被押圧部３２が変位させられる際につなぎ部３５が優先的に変形し、被押圧部３２のみを変位させることができ、上面部３１に大きな力が働かないため、上面部３１が曲げの影響を受けることを防止できる。
また、コネクタ１２を付勢部３３によって上方から押さえるため、電子機器１が搭載された自動車等の移動体の上下の振動に起因して生じる力が基板１１と接続端子１８との接続部に影響することを防止できる。
【００２６】
以上説明したように、本発明を適用した実施の形態によれば、コネクタ１２の支持板４２にコネクタ１２を固定する固定ビス２１によって押圧されて部品保持部３０の被押圧部３２及び付勢部３３が変位し、付勢部３３がコネクタ１２を接続端子１８の挿入方向に付勢する。このため、固定ビス２１を利用して部品保持部３０を変位させてコネクタ１２を固定でき、コネクタ１２を簡単な構造で基板１１に確実に固定できる。
【００２７】
また、接続端子１８と対向するコネクタ１２の上面１２Ａを部品保持部３０で付勢するため、接続端子１８を効果的に基板１１に付勢できる。
さらに、接続端子１８の挿入方向と直交して挿入される固定ビス２１の先端で被押圧部３２を押圧して被押圧部３２及び付勢部３３を変位させ、変位した付勢部３３によってコネクタ１２の上面１２Ａを付勢してコネクタ１２を基板１１に固定でき、コネクタ１２を簡単な構造で基板１１に確実に固定できる。
【００２８】
さらにまた、部品保持部３０が支持板４２と一体に構成されるため、コネクタ１２を付勢する専用の部品を設ける必要がなく、コネクタ１２を簡単な構造で基板１１に確実に固定できる。
また、コネクタ１２を支持板４２の開口１５から露出させるように固定する固定ビス２１を利用してコネクタ１２を基板１１に付勢でき、コネクタ１２を開口１５から露出させた状態でコネクタ１２を基板１１及び支持板４２に簡単な構造で固定できる。また、コネクタ１２を部品保持部３０によって確実に固定できるため、コネクタ１２に外部の配線が着脱される際に生じる力がコネクタ１２と基板１１との間の接続に影響することを防止できる。
【００２９】
さらに、被押圧部３２及び付勢部３３が弾性変形域内で変位するため、メンテナンスの際等に固定ビス２１を取り外すと、変位していた被押圧部３２及び付勢部３３が元に戻り、付勢部３３によるコネクタ１２の押圧が解除されるため、メンテナンス性が良い。
【００３０】
なお、上記第１の実施の形態は本発明を適用した一態様を示すものであって、本発明は上記第１の実施の形態に限定されない。
上記第１の実施の形態では、コネクタ１２が付勢部３３によって接続端子１８の挿入方向に付勢されて基板１１に押し付けられるものとして説明したが、本発明はこれに限定されるものではなく、付勢部３３に付勢されて基板１１に固定される電子部品は、トランジスタ素子やシールド部品等であっても良い。シールド部品としては、例えば、電波を受信して映像信号及び音声信号を出力するチューナー装置を覆う金属製のケースが挙げられ、このケースを付勢部３３で付勢して、基板１１に固定しても良い。この場合、付勢部３３で上記ケースを固定できると共に、付勢部３３によって上記ケースを支持板４２にアース接続できる。
また、上記第１の実施の形態では、部品保持部３０はホルダー板金４０に設けられるものとして説明したが、本発明はこれに限定されるものではなく、例えば、基板１１に設けられて電子機器の筐体の一部を構成する壁部に部品保持部３０を設けても良い。
さらに、上記第１の実施の形態では、電子機器１は自動車等の移動体に搭載される電子機器であるものとして説明したが、本発明はこれに限らず、パソコンや家電製品等の種々の電子機器に適用できる。また、電子機器１のその他の細部構成についても任意に変更可能であることは勿論である。
【００３１】
［第２の実施の形態］
以下、図６を参照して、本発明を適用した第２の実施の形態について説明する。この第２の実施の形態において、上記第１の実施の形態と同様に構成される部分については、同符号を付して説明を省略する。
第２の実施の形態では、上記第１の実施の形態における固定ビス２１に代えて、棒状の保持用ピン１２１（棒状保持部材）が設けられている。
【００３２】
図６は、第２の実施の形態におけるコネクタ１２の保持構造を示す側面断面図である。
コネクタ１２はステー部１７を有し、ステー部１７には、ケース体８の内側へ突出したボス部１１９が形成されている。
保持用ピン１２１は、ボス部１１９に係合するピン部１２１Ａと、支持板４２の外側面に当接する頭部１２１Ｂとを有し、ピン部１２１Ａにはピン部１２１Ａの外周面に突出した複数の爪部１２１Ｃが形成されている。爪部１２１Ｃは、ピン部１２１Ａの外周側から押圧されるとピン部１２１Ａの内側に変形し、押圧が解除されると元に戻るように構成されている。
【００３３】
保持用ピン１２１は、支持板４２のビス孔２０を介してボス部１１９に押し込まれ、コネクタ１２を基板１１及び支持板４２に固定している。爪部１２１Ｃはビス孔２０及びボス部１１９を通る際にピン部１２１Ａの内側に変形させられ、ボス部１１９を通過すると外周側に再び突出してボス部１１９の端に当接し、保持用ピン１２１が押し込まれた方向と逆方向に移動することを防止している。
保持用ピン１２１が完全に押し込まれると、ピン部１２１Ａの先端が被押圧部３２を押圧して被押圧部３２及び付勢部３３が変位し、付勢部３３がコネクタ１２を接続端子１８の挿入方向に付勢し、コネクタ１２が確実に固定される。
【００３４】
［第３の実施の形態］
以下、図７を参照して、本発明を適用した第３の実施の形態について説明する。この第３の実施の形態において、上記第１の実施の形態と同様に構成される部分については、同符号を付して説明を省略する。
第３の実施の形態では、上記第１の実施の形態の部品保持部３０とは異なる形状に構成された部品保持部２３０が設けられている。
【００３５】
図７は、第３の実施の形態におけるコネクタ１２の保持構造を示す側面断面図である。
部品保持部２３０は、支持板４２の上部を折り曲げて支持板４２と一体に構成され、支持板４２の内壁部４２Ａの上端からコネクタ１２の奥行き方向へ傾斜して下方に延びる被押圧部２３２と、被押圧部２３２の端からビス孔２０の側に延びて固定ビス２１とコネクタ１２の上面１２Ａとの間に位置する付勢部２３３とを有している。部品保持部２３０は、被押圧部２３２、付勢部２３３、及び内壁部４２Ａで囲まれた空間Ｌを形成し、固定ビス２１のねじ部２１Ａは空間Ｌ内に位置している。
【００３６】
固定ビス２１を締め込むと、ねじ部２１Ａの先端が被押圧部２３２を押圧して被押圧部２３２及び付勢部２３３が変位し、付勢部２３３がコネクタ１２を接続端子１８の挿入方向に付勢し、コネクタ１２が確実に固定される。
このように、第３の実施の形態では、上記第１の実施の形態の上面部３１を設けずに、被押圧部２３２及び付勢部２３３で部品保持部２３０を構成したため、コネクタ１２の保持構造をより簡単な構造にできる。
【００３７】
［第４の実施の形態］
以下、図８を参照して、本発明を適用した第４の実施の形態について説明する。この第４の実施の形態において、上記第１の実施の形態と同様に構成される部分については、同符号を付して説明を省略する。
上記第１の実施の形態では、部品保持部３０は支持板４２と一体に設けられているものとして説明したが、第４の実施の形態では、支持板３４２とは別体で構成された部品保持部３３０を有している。
【００３８】
図７は、第４の実施の形態におけるコネクタ１２の保持構造を示す側面断面図である。
支持板３４２は、板状に形成されて基板１１の縁部に略垂直に立設されている。支持板３４２には、開口１５及びビス孔２０が形成されている。
コネクタ１２は、ステー部１７及びボス部１９を有し、ビス孔２０を通ってボス部１９に締め込まれる固定ビス２１によって基板１１及び支持板３４２に固定されている。
支持板３４２の内側面３４２Ａとステー部１７との間には、コネクタ１２を接続端子１８の挿入方向に付勢する部品保持部３３０が介装されている。
【００３９】
部品保持部３３０は板材を曲げて構成され、内側面３４２Ａとステー部１７との間に挟まれて上方に延びる固定部３３４と、固定部３３４の上端から上面１２Ａと平行にケース体８の内側へ延びる上面部３３１と、上面部３３１の端からコネクタ１２の側へ下方に延びる被押圧部３３２と、被押圧部３３２の端からビス孔２０の側に延びて固定ビス２１のねじ部２１Ａとコネクタ１２の上面１２Ａとの間に位置する付勢部３３３とを有している。部品保持部３３０は、固定部３３４、上面部３３１、被押圧部３３２、及び、付勢部３３３で囲まれた空間Ｍを形成し、固定ビス２１のねじ部２１Ａは空間Ｍ内に位置している。
部品保持部３３０は、固定部３３４がステー部１７と内側面３４２Ａとの間に狭持された状態で固定ビス２１が締め込まれることで共締めされて固定される。固定部３３４には、ねじ部２１Ａが挿通される孔３３４Ａが形成されている。
【００４０】
そして、固定ビス２１を締め込むと、ねじ部２１Ａの先端が被押圧部３３２を押圧して被押圧部３３２及び付勢部３３３が変位し、付勢部３３３がコネクタ１２を接続端子１８の挿入方向に付勢し、コネクタ１２が確実に固定される。
このように、第４の実施の形態では、部品保持部３３０を支持板３４２とは別体で構成したため、部品保持部３３０を取り外す際に支持板３４２を基板１１から取り外す必要がなく、メンテナンス性が良い。また、部品保持部３３０を共通部品として用いることで、他の機種にも部品保持部３３０を使用できるという利点がある。
【符号の説明】
【００４１】
１１  基板
１２  コネクタ（電子部品）
１２Ａ  上面（面部）
４２、３４２  支持板
１５  開口
１８  接続端子（端子）
２１  ビス（棒状保持部材）
３０、２３０、３３０  部品保持部
３１、３３１  上面部
３２、２３２、３３２  被押圧部
３３、２３３、３３３  付勢部
１２１  保持用ピン（棒状保持部材）
【図１】
2011108807.tif 000003
【図２】
2011108807.tif 000004
【図３】
2011108807.tif 000005
【図４】
2011108807.tif 000006
【図５】
2011108807.tif 000007
【図６】
2011108807.tif 000008
【図７】
2011108807.tif 000009
【図８】
2011108807.tif 000010